(57)【要約】【課題】本発明は、バットを水平面上に横向きに置いたとき、バット本体や芯材が、直接水平面に接触しないようにした野球用又はソフトボ−ル用バットを提供するものである。【解決手段】金属製または非金属製からなるバット本体のキャップ部とグリップエンド部に軟質部材を装着し、バットを水平面上に横向きに置いたとき、バット本体が水平面に接触しないようにした野球用又はソフトボ−ル用バットを構成するものであり、また金属製または非金属製からなるバット本体に軟質部材を装着し、バットを水平面上に横向きに置いたとき、バット本体が水平面に接触しないようにした野球用又はソフトボ−ル用バットを構成するものであり、さらに、金属製または非金属製の管または棒からなるバット芯材に、軟質部材を表面に成形し、バットを水平面上に横向きに置いたとき、バット本体が水平面に接触しないようにした野球用又はソフトボ−ル用バットを構成するものである。【選択図】図１
2011161164.tif 000002
【特許請求の範囲】
【請求項１】
金属製または非金属製からなるバット本体の先端キャップ部とグリップエンド部に軟質部材を装着し、バットを水平面上に横向きに置いたとき、バット本体が水平面に接触しないようにしたことを特徴とする野球用又はソフトボール用バット。
【請求項２】
前記軟質部材製のキャップ部とグリップエンド部の最大径は、何れもバット本体の最大径よりも大きく形成した請求項１記載の野球用又はソフトボール用バット。
【請求項３】
バット本体の同一直径部が短く、テーパー部の傾斜が緩やかなバットであって、グリップエンド部の最大径がバット本体の同一直径部の最大径よりも小さく、バット本体は床面に接触しないように形成した請求項１記載の野球用又はソフトボール用バット。
【請求項４】
金属製または非金属製からなるバット本体全体に軟質部材を装着し、バットを水平面上に横向きに置いたとき、バット本体が水平面に接触しないようにしたことを特徴とする野球用又はソフトボール用バット。
【請求項５】
金属製または非金属製の管または棒からなるバット芯材に、軟質部材をバットの形状になるようバット表面に成形し、バットを水平面上に横向きに置いたとき、バット芯材が水平面に接触しないようにしたことを特徴とする野球用又はソフトボ−ル用バット。
【請求項６】
前記軟質部材製のキャップ部とグリップエンド部の硬さが、国際ゴム硬さで８０度以下に形成した請求項１ないし請求項５記載の野球用又はソフトボ−ル用バット。
【発明の詳細な説明】
【技術分野】
【０００１】
本発明は、野球用又はソフトボール用バットもしくはこれに類似した競技に取り入れられるバットに関するものである。
【背景技術】
【０００２】
中学校教育のカリキュラムの中に、ソフトボ−ルもしくはこれに類似した競技に使用される検討がなされている。しかし問題となる点は、体育館の木の床の上で競技を行なう点である。バットが床面に衝突した場合に、床面を傷つけないことが必要条件となる。
【０００３】
このためには、バットの「先端部とグリップエンド部」を、軟質部材にしておくことが必要となる。
【０００４】
バットの先端部に、軟質部材を被覆する先行技術は提案されている（例えば、特許文献１、特許文献２）。特許文献１と特許文献２は、打球部の凹部に弾性体を被覆するもので、共に飛距離の向上を目的としたものである。
【特許文献１】特開２００３−１９２３６号公報
【特許文献２】特開２００８−８６８１８号公報
【０００５】
グリップエンド部に、軟質部材を被覆する先行技術も提案されている（例えば、特許文献３）。特許文献３は、グリップ部に可撓性シ−トを被覆したもので、滑り止めを目的としたものである。
【特許文献３】特開２００３−７９７７３号公報
【０００６】
また、バット全体または芯材に、軟質部材を装着する先行技術も提案されている（例えば、特許文献４、特許文献５、特許文献６）。特許文献４は、パイプ芯材にバランスシ−トを入れて重心を調整したものである。特許文献５は、ＦＲＰの芯材にプラスチックフォ−ムを被覆して弾性反発力を付与したものである。特許文献６は、金属パイプにポリウレタンを発泡してトスボ−ル用としたものである。
【特許文献４】特開２００５−２７０２０４号公報
【特許文献５】特開２００５−５８６７０号公報
【特許文献６】特開２０００−１５３０１３号公報
【０００７】
従って何れも、バットを水平面上に横向きに置いたとき、バット本体や芯材が、水平面に直接接触しないようにしたものではない。
【発明の開示】
【発明が解決しようとする課題】
【０００８】
上記の事情に鑑み、本発明は、バットを水平面上に横向きに置いたとき、バット本体や芯材が、直接水平面に接触しないようにしたソフトボ−ル用バットの提供を課題とする。
【課題を解決するための手段】
【０００９】
本発明は上記目的を達成するために、金属製または非金属製からなるバット本体のキャップ部とグリップエンド部に軟質部材を装着し、バットを水平面上に横向きに置いたとき、バット本体が水平面に接触しないようにした野球用又はソフトボ−ル用バットを構成するものである。
【００１０】
また本発明は上記目的を達成するために、金属製または非金属製からなるバット本体全体に軟質部材を装着し、バットを水平面上に横向きに置いたとき、バット本体が水平面に接触しないようにした野球用又はソフトボ−ル用バットを構成するものである。
【００１１】
さらにまた本発明は上記目的を達成するために、金属製または非金属製の管または棒からなるバット芯材に、軟質部材をバットの形状になるよう表面に成形し、バットを水平面上に横向きに置いたとき、バット本体が水平面に接触しないようにした野球用又はソフトボ−ル用バットを構成するものである。
【発明の効果】
【００１２】
本発明のバットは、水平面上に横向きに置いたとき、バット本体等が水平面に直接接触することはなく、水平面上には軟質部材が接触するので、床面を傷つけることがない。
【００１３】
本発明のバットは、体育館の木の床の上で競技をしても、バットが床面に衝突しても、床面を傷つけることはない。
【発明を実施するための最良の形態】
【００１４】
次に本発明のソフトボ−ル用バットにつき実施例をあげて詳しく説明する。
【実施例１】
【００１５】
図１（イ）は、本発明の一実施例を示すバットを、水平面上に横向きに置いた状態を示す正面図である。
【００１６】
本発明のソフトボ−ル用バットの本体１は、金属製または木製・樹脂・ＦＲＰからなる非金属製であるが、本実施例の場合はアルミ合金製からなる金属製である。このキャップ部２とグリップエンド部３に、ポリウレタンゴムやシリコンゴム等の発泡部材を含む軟質部材を装着している。ここでキャップ部２とは、打球部より先のバットの最先端のことであり、軟質部材を装着したグリップエンド部３とは、グリップ周りより後方の最後端のことである。
【００１７】
従って、軟質部材製のキャップ部２とグリップエンド部３の最大径は、何れもバット本体の当該箇所の最大径よりも大きくなっている。そのため、このバットを、床の水平面Ｆの上に、横向きに置いた場合、図１（イ）のように、バット本体１が水平面４から浮かび上がって、接触することはない。そのため、グリップエンド部３の最大径が、バット本体１の最大径より小さくても、バット本体１の形状によって、横向きにした場合にバット本体１が水平面Ｆに接触しないだけの大きさを有していればよい。
【００１８】
なお本実施例は、外径Φ５７ｍｍのソフトボ−ル用金属製バットの先端部に、新規に製作したポリウレタン製のキャップを装着し、グリップエンド部３もポリウレタン製のものを装着した。また、キャップ部２とグリップエンド部３は、共に外径Φ６０ｍｍにし、使用したポリウレタンゴムの硬さは、８０度（国際ゴム硬さ）とし、このバットを、木製床上に放り投げた場合でも、床がへこんだり、傷つけないことを確認した。なお、床面の硬さは、８０度（ＪＩＳ  Ｋ６２５３で規定する国際ゴム硬さ試験法による）であった。
【実施例２】
【００１９】
図１（ロ）は、本発明の図１（イ）の第２実施例を示すバットを、床面に横向きに置いた状態を示す正面図である。
【００２０】
このように、本実施例のグリップ部に装着する軟質部材１３は、グリップエンドだけでなく、グリップ全体を形成するようにしてもよい。
【実施例３】
【００２１】
図１（ハ）は、本発明の第３実施例を示すバットを、床面に横向きに置いた状態を示す正面図である。
【００２２】
このように、バット本体１の同一直径部１１が短く、テーパー部１２の傾斜が緩やかなバットは、グリップエンド部３の最大径がバット本体１の同一直径部１１の最大径よりも小さくても、バット本体は床面に接触しない場合がある。
【実施例４】
【００２３】
図２（イ）（ロ）は、本発明のまた第４実施例を示すバットのグリップエンド部の拡大正面図である。
【００２４】
図２（イ）は、グリップエンド部を、後端から被覆する軟質カバ−２３にしたものであり、図２（ロ）は、グリップエンド部を、後端面を外して被覆する軟質カバー３３を装着した場合を示している。
【００２５】
これ等のカバーは、ポリウレタンゴム、シリコンゴム等の軟質部材や発泡部材で製作したもので、装着するバットのグリップエンド部等の形状に合わせて成型したもので、厚みは１ｍｍ〜１０ｍｍである。装着には、接着剤や両面テ−プを使用して、使用中に容易に外れないようにしておく必要がある。そのため、図２（イ）や図２（ロ）のように、グリップエンド部を湾曲包皮する形状にしておけば容易に外れないため、接着しなくてもよい。
【００２６】
この「カバー」によって被覆する範囲は、図２（イ）（ロ）は、何れもグリップエンド部の太径の部分は被覆しているので、このカバーによってバットを水平面上に横向きに置いた場合、バット本体が直接水平面上に接触することはない。
【実施例５】
【００２７】
図３は、本発明の第５実施例を示すバットを、横向きに置いた状態を示す正面図である。
【００２８】
図３に示すものは、金属製または非金属製からなるバット本体４１の全体を、ポリウレタンゴム、シリコンゴム等の軟質部材４４や発泡部材で被覆したバットである。
【００２９】
これに使用するバット本体は、既製の金属製・非金属製のバットでもよいが、被覆する部材の厚みを考慮して、予め細く・短く製作したバットを使う方がより好ましい。被覆する部材の厚みは、製品の重量も考慮して、１ｍｍ〜１０ｍｍの範囲が好ましい。
【実施例６】
【００３０】
図４は、本発明の第５実施例を示すバットを、横向きに置いた状態を示す正面図である。
【００３１】
図４に示すものは、金属製または木・樹脂・ＦＲＰ等で製作した非金属製の管や円筒または棒からなるバット芯材５１の全体を、ポリウレタンゴム、シリコンゴム等の軟質部材５４や発泡部材で被覆・成型したバットである。
【００３２】
バット芯材５１には、軟質部材５４や発泡部材をバットの形状に成型する際に、予め挿入しておいてもよいが、成型した後からバットの中心部に、挿入・固定するようにしてもよい。
【産業上の利用可能性】
【００３３】
本発明のバットは、バットが床にころがったり、たとえ放り投げた場合でも金属部分等が直接床に接触することはなく、床をへこませたり傷つけることはないので、屋内体操場等で広く使用しても差し支えない。
【図面の簡単な説明】
【００３４】
【図１】本発明のバットを、水平面上に横向きに置いた状態を示し、（イ）は第１実施例の正面図、（ロ）は第２実施例を示す正面図、（ハ）は第３実施例を示す正面図である。
【図２】本発明のバットのグリップエンド部で、（イ）は第４実施例の拡大正面図を、（ロ）は別の実施例を示す拡大正面図である。
【図３】本発明の第５実施例を示すバットを、横向きに置いた状態を示す正面図である。
【図４】本発明の第６実施例を示すバットを、横向きに置いた状態を示す正面図である。
【符号の説明】
【００３５】
１    バットの本体
４１  バットの本体
５１  バットの芯材
２    軟質部材を装着したキャップ部
３    軟質部材を装着したグリップエンド部
１３  軟質部材を装着したグリップ部
２３  カバ−からなる軟質部材を装着したグリップエンド部の一例
３３  カバ−からなる軟質部材を装着したグリップエンド部の別な例
４４  バットの本体の全体を軟質部材で装着
５４  バットの芯材の全体を軟質部材で装着
Ｆ    床の水平面
【図１】
2011161164.tif 000003
【図２】
2011161164.tif 000004
【図３】
2011161164.tif 000005
【図４】
2011161164.tif 000006